(57)【要約】【課題】パチンコ球の弾球力調節と打ち出しを、パチンコ遊技機と離れたところから遠隔操作することで、従来のパチンコ台に固定されたハンドルを操作することで生じていた、腱鞘炎や肩こりの疲労等を解消することを課題とする。【解決手段】これまでのハンドルグリップ方式の手首の回転によって球の打ち出しを調整する方法と異なり、操作部を片手で握り親指で弾球力調節ツマミを操作、人差し指で打ち出し停止等の操作を可能としたリモートコントローラを開発した。【選択図】　　　　図９
2004073381.tif 000002
【特許請求の範囲】
【請求項１】
パチンコ遊技機等の遊技球の弾球力調整部及び発射ＯＮ・ＯＦＦボタンを、或いはスロットマシン遊技機等のゲーム開始ＯＮ・ＯＦＦボタン及び図柄停止調整部を、片手の指で遠隔操作する位置に設けたことを特徴とする有線又は無線による遊技機のリモートコントローラ。
【請求項２】
パチンコ遊技機或いはスロットマシン等の遊戯球の打出等を指示するリモートコントローラであって、遊戯球の弾球力調整或いは図柄調整停止の調整部とゲーム開始ボタン或いは発射ＯＮ・ＯＦＦボタンのＯＮ・ＯＦＦボタンを備え、装置本体を握った状態で親指と人指しのみで両方の操作ができる位置に前記調整部とＯＮ・ＯＦＦボタンを設けたことを特徴とする有線又は無線による遊技機のリモートコントローラ。
【請求項３】
前記調整部は回転式又は前後スライド式又はダイヤル式で作動することを特徴とする請求項１〜請求項２のいずれかに記載の遊技機のリモートコントローラ。
【請求項４】
請求項１〜請求項３のいずれかに記載のリモートコントローラには、タイマー、オプションボタン又は振動機能又は表示機能の少なくとも１つを設けたことを特徴とする遊技機のリモートコントローラ。
【請求項５】
前記リモートコントローラの本体は、少なくとも一部は半透明な素材で構成され、内部に光源を備え、その光源はパチンコ遊技機若しくはスロットマシン遊技機に連動して、発光することを特徴とする請求項１〜請求項４のいずれかに記載の遊技機のリモートコントローラ。
【請求項６】
所定のリモートコントローラと個別に動作する制御装置を備えたパチンコ或いはスロットマシン等の遊技機と、相互に個別のパスを設定していることを特徴とする請求項１〜請求項５のいずれかに記載の遊技機のリモートコントローラ。
【発明の詳細な説明】
【０００１】
【発明の属する技術分野】
本発明は、パチンコ遊技機或いはスロットマシン等の遊戯球の打出等を指示するリモートコントローラ（小型遠隔操作装置）に関する。
【０００２】
特に、パチンコ遊技機等又はスロットマシン遊技機等およびこれらと同様な遊技機等の各種遊技機における制御装置であって、遊技のためのＯＮ・ＯＦＦと出力調節の両機能を有するリモートコントローラに関するものである。
【０００３】
【従来の技術】
従来から、一般的にパチンコ遊技機は、遊技球を発射操作するハンドルグリップ装置のグリップ回転盤を手首でひねって回転させることにより、パチンコ球の弾球力調節（飛距離調節）と、それによって遊技球が発射されるように構成されている。
このような一般のハンドルグリップ装置には、遊技球の発射を停止させるために、発射ＯＮ・ＯＦＦボタンが設けられているものもある。
【０００４】
パチンコ遊技機は、その多くがタッチ式の操作ハンドルを備えており、遊技者が直接手で操作ハンドルを回動操作することで動作を行うようにシステム化されており、常時ハンドルを握り調節して触っている必要がある。
しかし実際には、同じ微妙な姿勢で長時間ハンドルを握っていると腕や肩が疲れ、これが腱鞘炎や筋肉痛、肩こり等の要因となっている。
【０００５】
このような不具合を解決するようにしたものとして、遠隔操作可能なハンドルが提案されており、例えば、実開昭６２−１７００７８号、特開平３−１７８６８２号、実開平４−３２７８１号、実開平５−２８３７９号、特開平９−５１９７８号、特開平９−１３１４３２号、特開平１１−１９７３０３号等に開示されている。
【０００６】
確かに上記先願開示技術はパチンコ遊技機より操作ハンドルを分離した点、操作の自由度が大きく増し肉体的精神的疲労より解放するものであり非常に有用である。
しかしながら、これらいずれの操作ハンドルも、遊技機本体か椅子に取り付けて操作するか、片方の手で操作ボックスを持ってもう片方の手で操作をする必要があり、操作ハンドルの構成が大掛かりで複雑になってしまうという不具合があった。
加えてこのような複雑で大型の装置では、遊技場の空間の効率利用には不適で、実用的ではなく実現されなかった。
【０００７】
また、ダイヤルを遊技機本体に置いて、パチンコ球の発射打ち出しのみを遠隔操作する方式では、急な右打ちなどに対応が遅れる等、片手では対応しずらい等の不具合があった。パチンコ打ち出しのテクニックは、片手で打ち出しと調整を行うのものであり、この形態や習慣に合わない操作では、実際的ではない。
しかも、従来の片手操作ハンドル装置では、グリップでハンドルを握って手首をひねることで弾球力を調節することを主目的としたものであり、ゲーム中に腕を自由に動かすことさえできなかった。
【０００８】
【発明が解決しようとする課題】
本発明は上記事情に鑑みてなされたものであり、片手であるが固定されている場合、両手で操作して複雑な構成をとる場合、それぞれ比較して、さらにリラックスできて気軽にパチンコ遊技等若しくはスロットマシン遊技等を行うことが出来るよう、片手で弾球力調整とパチンコ球の発射停止の両方を遠隔操作するリモートコントローラ若しくは片手でゲーム開始ＯＮ・ＯＦＦと図柄停止調節の両方を遠隔操作するリモートコントローラを提案するものである。
この構成で、最も重要な課題であった、肩の疲労等を解消することが可能となる。
本発明のリモートコントローラは、パチンコ遊技時における快適性、操作性、経済性を飛躍的に向上させる。
【０００９】
【課題を解決するための手段】
以上の課題を解決するために、本発明が採用した技術手段は、パチンコ球を遊技盤面に打ち出し、該遊技盤面に設けた入賞口に入賞させることで所定数のパチンコ球を排出するようにしたパチンコ遊技機の遊技機本体に取り付けられたこれまでのハンドルとは全く異なるものであり、そして従前の遠隔操作ハンドルとも全く異なり、片手の指のみで弾球力調節とパチンコ球の発射停止の両作動を操作できることを特徴とするものである。
【００１０】
ここに、本発明は、パチンコ遊技機或いはスロットマシン遊技機等の遊戯球の打出、停止等を指示するリモートコントローラであって、遊戯球の弾球力調整或いはスロットマシンの図柄調整停止の調整部とゲーム開始ボタン或いは発射ＯＮ・ＯＦＦボタンのＯＮ・ＯＦＦボタンを備え、装置本体を握った状態で親指と人指し指のみで両方の操作ができる位置に前記調整部とＯＮ・ＯＦＦボタンを設けたことを特徴とする遊技機のリモートコントローラを提供するものである。
【００１１】
また、遠隔操作できる単体であることで、左右どちらでも利き腕に関係なく使用する事ができ、さらに、振動モータや、ソレノイド等を内蔵作動することで、コントローラを振動させることもでき、リーチ時等での興奮効果を高め、よりゲームを楽しく演出できるものである。
【００１２】
振動はリモートコントローラ内部に振動源を持ち振動を伝えるものだけではなく、リモートコントローラ表皮を大きく変化させるものでも良い。電動肩もみ機等などに使用されている技術を利用しても良い。
【００１３】
本発明のパチンコ遊技機のリモートコントローラは、弾球力調節機能等をもった調整部がコントローラ内部に設けられている。
又本発明のスロットマシン遊技機のリモートコントローラは、前記図柄調整停止の調整部とゲーム開始ボタンが、コントローラ内部に設けられている。
【００１４】
さらに、本発明のパチンコ遊技機のリモートコントローラは、前記発射ＯＮ・ＯＦＦボタン等の作動ＯＮ・ＯＦＦボタンが、コントローラに設けられていることを特徴とする。
尚、ＯＮ・ＯＦＦ操作ボタンは押圧による物理的構成に限らず、磁界、電界、熱、電子、静電気等を用いることも可能である。
例えば、コントローラを握り締める圧力によってＯＮ・ＯＦＦを切り替えることも可能である。
【００１５】
さらにまた、本発明のパチンコ若しくはスロットマシン遊技機のリモートコントローラは、タイマーやその他のオプションスイッチやＬＥＤもしくはＬＣＤ表示機等を、コントローラ内部に設けることを提案する。
【００１６】
さらにまた、本発明のパチンコ若しくはスロットマシン遊技機のリモートコントローラの握保持部には抗菌素材を用いている。
この握保持部は、より清潔を保つため、交換可能な構成も考えられる。
形状は人間工学に基づいた形状が望ましい。ゴルフクラブのグリップのような指に沿った形状を採ることはその一例である。
【００１７】
本発明に係るパチンコ遊技機のリモートコントローラの調整部は、指先で作動できればよく、回転式又は前後スライド式又はダイヤル式を問わない。
スライド方向はコントローラに対して垂直でも、平行でもよく、人間工学的に波線或いは曲線でもよい。
特にスライド溝が物理的に存在する必要は無く、平面上のタッチスライド式でもよい。
【００１８】
回転やダイヤルやスライド量に対応する弾球力変化率は、従来のハンドルと同様に微妙で個々の利用者の使い方によって変化するものであり、変化率をプログラム上で変更できることが望ましい。
【００１９】
さらにまた、本発明のリモートコントローラは、コード連結端部にコネクタを備えたことを特徴とする。
コネクタは、リモートコントローラ側でもパチンコ若しくはスロットマシン遊技機側そしてその中途でも設けることが可能である。
【００２０】
さらに、本発明のリモートコントローラのコードは台に自動安全収納されるように構成できる。
遊技終了後一定時間経過後もコード未収納の場合は、前記コントローラに設けられた、視覚的情報発光源等によりその異常を知らせることもできる。コードは紐状に限られず例えば、延長物差しのように半固定の形態も考えられる。
【００２１】
又無線とは、赤外線、電波、電磁波、光、等一般にリモートコントローラに使用されているものであれば採用可能であるが、不特定多数の使用が予想されるため一定限度の距離で台より離れた場合等の制御距離や制御角度の制限が設けられ、盗難防止や制御範囲を逸脱した場合の警告などの視覚的情報発光源等によりその異常を知らせる構成にすることもできる。
【００２２】
さらにまた、本発明のリモートコントローラの本体は、少なくとも一部は半透明な素材で構成され、内部に光源を備え、その光源はパチンコ遊技機若しくはスロットマシン遊技機に連動して、点滅発光する構成にもすることができる。
遊技者に情報を与える目的を持つ、視覚的に変化を及ぼすものであれば、その光源は問わない。光ファイバー、液晶、蛍光物質等でも可能である。
【００２３】
因みに、遊技機に連動する形態は、発光、音、振動など視覚、聴覚、人間の感覚に作用する全てのものが可能である。
【００２４】
さらにまた、本発明のリモートコントローラの本体は、所定のリモートコントローラと個別に動作する制御装置を備えたパチンコ或いはスロットマシン等の遊技機と、個別のパスを設定していることを特徴とする。
【００２５】
パスとは特定の遊技機と特定のリモートコントローラを結びつける鍵であり、パスワード等と同様電磁気的記録が望ましいが、物理的構造によることも可能である。
これにより遊技機とリモートコントローラとは一対一の関係になり、管理上有益である。
【００２６】
遊技機とリモートコントローラを関連付ける構成において、本発明では有線と無線を提案している。両者はその構造上相違点はあるが、機能的には同じ関連付けとなる。
【００２７】
【発明の実施の形態】
つぎに本発明について図面に基づき説明する。
パチンコ機の機械構造は、たとえば、特開平１１−３１９２５２号公報等に示されるような従来例と同様である。
本発明のリモートコントローラは、遊技機のハンドル作動に少なくとも相応する機能をもつものであり、以下に本発明に係るリモートコントローラの一実施形態を説明する。
図示の実施形態は　有線コードで遊技機と接続したものである。
【００２８】
図１は、本発明のリモートコントローラの全体外観図であり、（ａ）は平面図であり、（ｂ）は側面図である。
リモートコントローラ（１）は、図９のように、遊技機（１０）のハンドル（１１）付近からシールドケーブル等のコード（８）で接続して取り付けられる。
リモートコントローラ（１）はその全体の大きさを、片手の手のひらで握ることが出来る大きさにし、パチンコ遊技機（１０）等の遊技球の弾球力調整部（２）及び発射ＯＮ・ＯＦＦボタン（３）を設けている。
リモートコントローラ（１）は遠隔操作できる単体であることで、左右どちらでも利き腕に関係なく使用する事ができる利便性がある。
【００２９】
弾球力調整部（２）及び発射ＯＮ・ＯＦＦボタン（３）は、片手の指で遠隔操作する位置に設けていることが特徴である。
図１のものは、有線コード（８）で遊技機（１０）と接続したものであるが、赤外線等の無線によるリモートコントローラ（１）として構成することも出来る。図１のリモートコントローラ（１）の形態は、略円筒形で、先端に発射ＯＮ・ＯＦＦボタン（３）を設け、本体の長手方向を軸として回転する弾球力調整部（２）を前方部に設けたものである。
図示実施例の実寸は、長さ１２Ｃｍ，径大部の直径２，５Ｃｍで、手のひらで握れるサイズである。デザインや寸法は、これに限定されるものではない。
【００３０】
図２は、内部機構を示す側面図であり、図２の状態でコントローラ（１）を図３のように握って、親指で回転式の弾球力調整ツマミ（２）を調整しながら、人指し指で、発射ＯＮ・ＯＦＦボタン（３）にふれることでタッチスイッチを起動させ遊技球を発射させることができる。
弾球力調整部（２）である左右回転式のツマミ（２）を右に回転させることによって可変抵抗器（５）を変化させ、発射ソレノイド（モータ）等の電圧レベルを変化することによって遊技球の発射速度を変換できる。
この状態において人指し指で発射ＯＮ・ＯＦＦボタン（３）を押せば、プッシュスイッチ（４）を作動して遊技球の発射と停止することができる。
発射ＯＮ・ＯＦＦボタン（３）は、押した状態で発射し、開放で停止する形態、ダブルクリックした場合は、発射を継続するなどの設定も可能である。
【００３１】
弾球力調整ツマミ（２）は復帰バネ（６）によって親指を離すと初期位置に自動的に戻る機構等がある。
また、ダイヤル式で回したその場で停止し、指で戻さない限りその場に留まる機構も採用できる。
【００３２】
振動モータ（７）はリーチアクション時等に遊技機本体より電気信号を送ることで、モータを回転させコントローラ本体（１）を振動させるエンターテイメントの効果のために設けられたものである。
リーチ時等での興奮効果を高め、よりゲームを楽しく演出できるものである。
振動はリモートコントローラ（１）内部に振動源を持ち振動を伝えるものだけではなく、リモートコントローラ（１）表皮を大きく変化させるものでも良い。
【００３３】
リモートコントローラ（１）は、衛生上抗菌素材製であり、清潔が維持しやすく、洗浄が容易な構成であり、少なくとも一部は半透明な素材で構成されている。そして、図示していないが内部に光源を備え、その光源はパチンコ遊技機若しくはスロットマシン遊技機に連動して、点滅発光する構成にすることができる。
【００３４】
その光源は、遊技者に情報を与える目的を持つ、視覚的に変化を及ぼすものであれば、光ファイバー、液晶、蛍光物質等でも可能である。点滅は１つの発光体におけるものであり、これら発光体が結合し映像とすることもできる。
【００３５】
因みに、遊技機（１０）に連動してリモートコントローラ（１）が変化表現する形態は、発光、音、振動など視覚、聴覚、人間の感覚に作用する全てのものが可能である。
【００３６】
リモートコントローラ（１）をコード（８）或いはケーブル接続とする場合は、パチンコ遊技機（１０）本体とは、コネクタ（１２）等で接続され組立や交換を容易にしている。
前記リモートコントローラ（１）のコード（８）の連結端部に遊技機本体とのコネクタ（１２）を設け、　前記のコード（１２）は巻き取られて遊技機台に自動収納できるのが好ましい。
また、カールコード等を使用して遊戯の妨げとならないようにする。また、有線、無線、光、超音波にかかわらず、遊戯しない場合は本体（１）に設けたスタンド（１１）等に収納できるようなものとする。
【００３７】
遊技機（１０）本体のパチンコ球発射部の構成は特には限定されず、従来から公知のものを適宜採用すればよくコントローラ（１）との制御部を搭載すればよい。
【００３８】
また、弾球力調整部（２）に接続する遊技機（１）のタッチ調整検出回路も従来から公知のものを使用してよいし、弾球力調整ツマミ（ｂ）の親指が触れる部分に小型のスイッチを内蔵してもよい。
【００３９】
図１〜図３に示すこの実施形態によれば、スイッチ側を親指と人指し指、ケーブル側を小指側にしてコントローラを握り、親指または、親指と人指し指のみで打ち出し操作ができる。
その状態で打ち出しを停止する場合は、親指で弾球力調整ツマミ（２）をおさえたまま人指し指で発射・停止スイッチ（３）を押せるため片手の指で操作することができる。
つまり、親指で弾球力を微調整しながら、人指し指でＯＮ・ＯＦＦして、打ち出すことになる。
リモートコントローラ（１）は、遊技者の手元や体のそばに位置させることができるので、楽な姿勢でプレーができることなる。
【００４０】
図４は、異なる他の実施形態を示すリモートコントローラ（１）の全体外観図であり、（ａ）は平面図であり、（ｂ）は側面図である。
図２の実施形態では、コントローラ内部の可変抵抗器を操作する方式であったが、この実施形態では、ツマミ（２）を回すことでワイヤーを巻き取り、発射ソレノイド（モータ）への負荷を変化させる方式である。
弾球力調整ツマミ（２）は、回転式で、親指で左右に回転させて調整する構成は前記態様と同じである。
【００４１】
特に異なるのは、発射ＯＮ・ＯＦＦボタン（３）の位置を傾斜させた位置に設けた点である。リモートコントローラ（１）の先端に設けたものは指先の腹が当接するが、
傾斜させた位置では第二関節の腹が当たる。
又、各種の表示が可能なように、タイマーやその他のオプションスイッチ（１４）やＬＥＤもしくはＬＣＤ表示機等（１５）を設けた。
この表示部には、当たり表示や警報表示等の各種の情報を表示することが可能である。文字情報や点滅発光などを選択採用できる。
【００４２】
図５は、この発明の他の一実施形態を示すパチンコ用スライド式コントローラの図である。
図１の実施形態では、打ち出し強弱のコントロールは回転方式であったが、スライド方式でも良い。スライド方式とは、リモートコントローラ（１）の本体表面を前後動するスライダーで弾球力調整ツマミ（２）を構成したものである。
【００４３】
このように、実施形態のコントローラ（１）は、片手の指でボタンやツマミを操作することを目的としたものであるため、握った状態での親指と人指し指の動きで制御できる位置であれば、ボタン、ツマミの位置、凹凸などの形状にはこだわらない。
人間工学的に使い勝手が良い形態を選択できる。
【００４４】
さらに、打ち出し開始ボタンをしばらく押す事でしだいに弾球力が強くなり、希望の位置で保留ボタンを押すと強さが持続され、停止ボタンをおすと一時的に打ち出しを停止できるるようなコントロール方法でもよい。回転位置がわかるマーク（１３）つけてもよい。
【００４５】
さらにまた、法的な認可が前提であるが、所定位置でのストッパーを設けることもありうる。
【００４６】
図６は、この発明の一実施形態を示すパチンコ用ダイヤル式コントローラの図である。
リモートコントローラ（１）本体の上部に水平方向に回転する調整部としてのダイヤル（２）を設けたものである。
図８の（ａ）・（ｂ）は、側面視で引き金タイプにデザインしたものである。
【００４７】
図７、図８（ｃ）・（ｄ）は、この発明の一実施形態を示すもので、スロットマシンいわゆるパチスロ用のコントローラ（１）を示すものである。
図７は、リモートコントローラ（１）本体の上部に、図柄停止調整部（２）として、それぞれの図柄回転ドラムの停止ボタンを設けたものである。　図７においてａはスタートボタン、ｂは左図柄停止ボタン、ｃは中図柄停止ボタン、ｄは右図柄停止ボタンである。
図８（ｃ）・（ｄ）の形態は、この発明の異なる一実施形態を示すもので、側面視で引き金タイプにデザインしたものを示している。ｂは左図柄停止ボタン、ｃは中図柄停止ボタン、ｄは右図柄停止ボタンである。
【００４８】
本発明のリモートコントローラは、従前の固定された操作ハンドル装置と併用することを妨げるものではない。遊技者は、いずれか好みの操作を選択できるほうが好ましい。
【００４９】
【発明の効果】
以上説明したように、本発明は、パチンコ遊技機或いはスロットマシン遊技機本体と、ＯＮ・ＯＦＦと調整部を複合した無線又は優先のリモートコントローラとから構成されるものである。
有線コードの場合は、所望長さを有する可撓性伝達部材等により機械的または電気的に連結することでパチンコ球の発射を遠隔操作可能とし、タッチ部をかねたパチンンコ球の弾球力（飛距離）を調節するツマミと、打ち出しストップボタン等を備えており、片手の指で操作できるため、自然な姿勢でリモートコントローラを操作してパチンコ球の飛距離と打ち出しをコントロールできる。
また自由に腕を動かした状態においてもパチンコ球を弾球することができる。
したがって、長時間パチンコを行う場合でも、腕や肩の疲労が少なくなる。
左手操作でも可能であり、パチンコ等のプレー時に自由性ができたという効果がある。
【００５０】
さらに、具体的には、振動モータや、ソレノイド等を内蔵して、コントローラを振動させることで、リーチ時の効果を高めより臨場感を増したリアルなゲームを楽しむことができる。
【００５１】
以上のように、本発明は、パチンコ等の遊技機において、ＯＮ・ＯＦＦと調整部を複合したかたちで作動し、片手で握れて、片手の指のみで、遠隔操作をできるリモートコントローラを提供するものであり、楽な姿勢で楽しむために大変有意義でかつ実際的効果のあるものといえる。
【図面の簡単な説明】
【図１】本発明の一実施形態を示すパチンコ用回転式のリモートコントローラの全体外観図であり、（ａ）は平面図であり、（ｂ）は側面図である。
【図２】本発明の一実施形態を示す内部機構を示す側面図である。
【図３】この発明の操作時の状態を示す斜視図である。
【図４】異なる他の実施形態を示すリモートコントローラ（１）の全体外観図であり、この発明の一実施形態を示すパチンコ用ダイヤル式コントローラの図であるこの発明の一実施形態を示すパチンコ用オプション付のコントローラを示している。
【図５】他の一実施形態を示すパチンコ用スライド式コントローラの図であり、（ａ）は平面図であり、（ｂ）は側面図である。
【図６】この発明の一実施形態を示すパチンコ用ダイヤル式コントローラの図である。
【図７】この発明の一実施形態を示すパチスロ用コントローラの図である。（ａ）は平面図であり、（ｂ）は側面図である。
【図８】他の実施形態を示すリモートコントローラ（１）であって、（ａ）・（ｂ）は、側面視で引き金タイプのパチンコ当リモートコントローラで、（ａ）は平面図であり、（ｂ）は側面図である。
さらに、（ｃ）・（ｄ）はスロットマシンいわゆるパチスロ用のコントローラ（１）を示すもので（ｃ）は平面図であり、（ｄ）は側面図である。
【図９】この発明の実施形態を示すパチンコ遊技機とコントローラの接続状態を示す説明図である。
る。
【符号の説明】
１　リモートコントローラ（小型遠隔操作装置）本体
２　調整部（弾球力調整ツマミ・図柄停止調整部）
ｂ　左図柄停止ボタン
ｃ　中図柄停止ボタン
ｄ　右図柄停止ボタン
３　発射ＯＮ・ＯＦＦボタン
ａ　スタートボタン
４　プッシュスイッチ（マイクロスイッチ）
５　可変抵抗器
６　復帰バネ
７　振動モータ
８　コード（シールドケーブル）
１０　パチンコ遊技機
１１　スタンド
１２　コード
１３　マーク
１４　オプションボタン
１５　表示部
【図１】
2004073381.tif 000003
【図２】
2004073381.tif 000004
【図３】
2004073381.tif 000005
【図４】
2004073381.tif 000006
【図５】
2004073381.tif 000007
【図６】
2004073381.tif 000008
【図７】
2004073381.tif 000009
【図８】
2004073381.tif 000010
【図９】
2004073381.tif 000011